(57)【特許請求の範囲】
【請求項１】
（ａ）記憶媒体装填部が配設された内面板と、
（ｂ）閉じた状態で該内面板を覆い、開いた状態で前記記憶媒体装填部への記憶媒体の装填が可能となるように開閉可能に取り付けられた表示装置と、
（ｃ）該表示装置に配設され、前記記憶媒体をイジェクトさせる機能と他の機能とを兼ね備える操作ボタンとを有し、
（ｄ）該操作ボタンは、前記表示装置が開いた状態で操作されると記憶媒体をイジェクトさせる機能を果たし、前記表示装置が閉じた状態で操作されると他の機能を果たし、前記表示装置が開動作中に操作されると、前記表示装置が開いた時に記憶媒体をイジェクトさせる機能を果たすことを特徴とする車載用複合電子機器。
【発明の詳細な説明】
【０００１】
【発明の属する技術分野】
本発明は、車載用複合電子機器に関するものである。
【０００２】
【従来の技術】
従来、車両に搭載する車載用複合電子機器においては、ナビゲーション装置、ラジオ受信機、テレビ受像器、ＣＤプレーヤ、ＭＤプレーヤ等の音響機器、ＤＶＤプレーヤ、ビデオプレーヤ等の映像機器が一体化されている。前記車載用複合電子機器は、車両の運転者、乗員等の操作者が経路を探索したり、音楽や映像を鑑賞したりするための多くの機能を備えているが、一体的に構成されているので、スペースに制限のある車両内に配設するのに適している。
【０００３】
そして、操作者が容易に操作を行うことができるように、前記車載用複合電子機器は、車両内部の前面、すなわち、ダッシュボード上に取り付けられたり、ダッシュボードパネルに埋め込まれたりするようになっている。このため、前面の占有面積をできる限り狭くする必要があるので、前記車載用複合電子機器においては、表示装置が開閉可能となっていて、該表示装置の裏にＣＤ、ＭＤ、ＤＶＤ等を装填（てん）するためのスロットやトレーが配設される。
【０００４】
図２は従来の車載用複合電子機器の前面板であり表示装置が閉じた状態を示す図、図３は従来の車載用複合電子機器の前面板であり表示装置が開いた状態を示す図である。
【０００５】
図において、５１は、ナビゲーション装置、ラジオ受信機、テレビ受像器、ＣＤプレーヤ、ＭＤプレーヤ等の音響機器、ＤＶＤプレーヤ、ビデオプレーヤ等の映像機器が一体化された車載用複合電子機器５０の前面板である。そして、該前面板５１には、液晶ディスプレー、ＣＲＴ、ＬＥＤディスプレー等から成るディスプレー６２を備える表示装置６１が、開閉可能に取り付けられている。
【０００６】
また、前記表示装置６１におけるディスプレー６２の右側及び左側には、各種の機能が割り当てられた押しボタン式の操作ボタン６３−１〜６３−６及び６４−１〜６４−６が、それぞれ配設される。そして、回転式の操作ダイアル６５−１及び６５−２も配設される。さらに、前記ディスプレー６２の下側には、他の種類の機能が随時割り当てられる押しボタン式の多機能操作ボタン６６−１〜６６−８が配設される。
【０００７】
そして、操作者は、前記操作ボタン６３−１〜６３−６、６４−１〜６４−６、操作ダイアル６５−１、６５−２及び多機能操作ボタン６６−１〜６６−８を操作することによって、車載用複合電子機器５０をナビゲーション装置、ラジオ受信機、テレビ受像器、音響機器、又は、映像機器として機能させ、車両の経路を探索したり、ラジオ放送やテレビ放送を視聴したり、音楽や映画を鑑賞したりすることができる。
【０００８】
また、前記車載用複合電子機器５０において、地図データが格納されているＣＤ−ＲＯＭやＤＶＤ−ＲＯＭ、音楽等が格納されているＣＤやＭＤ、映画等のビデオデータが格納されているＤＶＤ等を装填したり、入れ替えたりする場合、操作者は、前記操作ボタン中の所定の操作ボタン、例えば、操作ボタン６３−２を操作すると、図３に示されるように表示装置６１が開いた状態となる。
【０００９】
図３において、５２は前記表示装置６１によって覆われていた内面板である。該内面板５２には、ＣＤ装填部５３、ＭＤ装填部５４、ＤＶＤ装填部５５、ＣＤイジェクトボタン５６、ＭＤイジェクトボタン５７及びＤＶＤイジェクトボタン５８が配設される。ここで、前記ＣＤ装填部５３、ＭＤ装填部５４及びＤＶＤ装填部５５は、ＣＤ、ＭＤ及びＤＶＤを挿入するスロットであってもよいし、ＣＤ、ＭＤ及びＤＶＤを載置する出入り自在のトレーであってもよい。
【００１０】
そして、例えば、ＣＤを取り替える場合、ＣＤイジェクトボタン５６を操作すると、ＣＤ装填部５３からＣＤが押し出されるので、操作者は、押し出されたＣＤを取り外して、代わりのＣＤを前記ＣＤ装填部５３に装填する。続いて、表示装置６１を閉じることによって、図２に示されるような状態になる。
【００１１】
これにより、操作者は、前記操作ボタンの中の所定の操作ボタンを操作することによって、前記ＣＤ装填部５３に格納された音楽等を鑑賞することができる。
【００１２】
【発明が解決しようとする課題】
しかしながら、前記従来の車載用複合電子機器において、ＣＤ、ＭＤ及びＤＶＤを装填部から取り出すためのイジェクトボタンは、それぞれ独立して内面板に配設されているので、ボタンの数が多くなり、操作が煩雑になる。
【００１３】
車載用複合電子機器は、単一の装置で多くの機能を発揮するために、該機能のそれぞれに対応する操作ボタンを多数備えている。このため、前記操作ボタンのそれぞれが対応する機能を覚えて正確に操作する必要があるが、操作ボタンの数が多すぎるため、それぞれの操作ボタンを識別することが困難となり、操作者は煩わしく感じてしまう。また、多数の操作ボタンが、車載用複合電子機器の表示装置や内面板の面積を占有してしまい、前記車載用複合電子機器の表示装置や内面板が大型化したり、操作性が低下したりしてしまう。
【００１４】
本発明は、前記従来の車載用複合電子機器の問題点を解決して、記憶媒体を装填部から取り出すためのイジェクトボタンを内面板に配設せずに、表示装置に配設された操作ボタンを前記イジェクトボタンとしても機能させた車載用複合電子機器を提供することを目的とする。
【００１５】
【課題を解決するための手段】
そのために、本発明の車載用複合電子機器においては、記憶媒体装填部が配設された内面板と、閉じた状態で該内面板を覆い、開いた状態で前記記憶媒体装填部への記憶媒体の装填が可能となるように開閉可能に取り付けられた表示装置と、該表示装置に配設され、前記記憶媒体をイジェクトさせる機能と他の機能とを兼ね備える操作ボタンとを有し、該操作ボタンは、前記表示装置が開いた状態で操作されると記憶媒体をイジェクトさせる機能を果たし、前記表示装置が閉じた状態で操作されると他の機能を果たし、前記表示装置が開動作中に操作されると、前記表示装置が開いた時に記憶媒体をイジェクトさせる機能を果たす。
【００２１】
【発明の実施の形態】
以下、本発明の実施の形態について図面を参照しながら詳細に説明する。
【００２２】
図４は本発明の実施の形態における車載用複合電子機器の斜視図であり表示装置が閉じた状態を示す図、図５は本発明の実施の形態における車載用複合電子機器の斜視図であり表示装置が開いた状態を示す図である。
【００２３】
図において、１１は本実施の形態における車載用複合電子機器１０の前面板であり、該前面板１１にはディスプレー２２を備える表示装置２１が、開閉可能に取り付けられている。
【００２４】
ここで、前記車載用複合電子機器１０は、ナビゲーション装置、ラジオ受信機、テレビ受像器、ＣＤプレーヤ、ＭＤプレーヤ等の音響機器、ＤＶＤプレーヤ、ビデオプレーヤ等の映像機器などが一体化され、乗用車、トラック、バス、二輪車等の車両に搭載するのに適した電子機器である。すなわち、前記車載用複合電子機器１０は、ナビゲーション装置、ラジオ受信機、テレビ受像器、音響機器及び映像機器としての機能を果たすものである。なお、前記車載用複合電子機器１０は、ナビゲーション装置、ラジオ受信機、テレビ受像器、音響機器、映像機器の中における一部の装置又は機器から成るものであってもよい。例えば、ナビゲーション装置だけから成るものであってもよいし、音響機器と映像機器とを一体化したものであってもよい。さらに、他の種類の機器、例えば、携帯電話機、携帯端末、パーソナルコンピュータ、ゲーム機等を含むものであってもよい。
【００２５】
なお、本実施の形態においては、前記車載用複合電子機器１０がナビゲーション装置、ラジオ受信機、テレビ受像器、音響機器及び映像機器が一体化されたものである場合について説明する。この場合、前記ナビゲーション装置、ラジオ受信機、テレビ受像器、音響機器及び映像機器はそれぞれ制御手段を有する。そして、それぞれの制御手段は、ＣＰＵ、ＭＰＵ等の演算手段、磁気ディスク、半導体メモリ等の記憶手段、通信手段、入力手段、表示制御手段等を備える。なお、前記制御手段は、それぞれ独立したものであってもよいし、記憶手段、入力手段、通信手段等一部の手段を共有するものであってもよい。さらに、前記制御手段は、単一の制御手段の中に構築された複数のシステムとして機能するものであってもよい。この場合、前記車載用複合電子機器１０は、ナビゲーション装置、ラジオ受信機、テレビ受像器、音響機器及び映像機器としての機能を果たす単一のコンピュータとして把握することができる。
【００２６】
さらに、前記ナビゲーション装置、ラジオ受信機、テレビ受像器、音響機器及び映像機器はそれぞれに特有の周辺機器を有する。例えば、ナビゲーション装置は、ＧＰＳ（Ｇｌｏｂａｌ  Ｐｏｓｉｔｉｏｎｉｎｇ  ｓｙｓｔｅｍ）、地磁気センサ、距離センサ、ステアリングセンサ、ビーコンセンサ、ジャイロセンサ等を備える現在位置検出処理手段を有し、ラジオ受信機や音響機器は、スピーカ等の音声出力手段を有し、テレビ受像器は、テレビチューナを有する。
【００２７】
また、前記ディスプレー２２は、例えば、液晶ディスプレー、ＣＲＴ、ＬＥＤディスプレー、プラズマディスプレー等であるが、いかなる種類のディスプレーであってもよい。
【００２８】
さらに、表示装置２１におけるディスプレー２２の周囲には、後述される操作ボタン２３、２４及び２６、並びに、操作ダイアル２５が複数配設される。
【００２９】
そして、前記車載用複合電子機器１０は、車両に搭載される場合、車両の運転者、乗員等の操作者が容易に操作を行うことができるように、車両内部の前面、すなわち、ダッシュボード上に取り付けたり、ダッシュボードパネルに埋め込んだりすることができることが望ましい。このため、前面の占有面積をできる限り狭くする必要があるので、前記車載用複合電子機器１０においては、表示装置２１が開閉可能となっている。
【００３０】
そして、前記車載用複合電子機器１０は、前記制御手段によって制御され、前記表示装置２１を開閉させる図示されない表示装置駆動手段を有する。また、前記表示装置２１の角度を検出し、検出結果を前記制御手段に送信する図示されない角度検出手段も有する。
【００３１】
ここで、表示装置２１を開くと、図５に示されるように、前記表示装置２１の裏に位置する内面板１２に記憶媒体としてのＣＤ、ＭＤ及びＤＶＤを装填するために、記憶媒体装填部としてのＣＤ装填部１３、ＭＤ装填部１４及びＤＶＤ装填部１５が配設されていることが分かる。なお、前記ＣＤ装填部１３、ＭＤ装填部１４及びＤＶＤ装填部１５は、ＣＤ、ＭＤ及びＤＶＤを挿入するスロットであってもよいし、ＣＤ、ＭＤ及びＤＶＤを載置する出入り自在のトレーであってもよい。
【００３２】
また、前記記憶媒体装填部は、ＣＤ装填部１３、ＭＤ装填部１４及びＤＶＤ装填部１５の中の一部だけであってもよい。さらに、他の種類の記憶媒体、例えば、音楽カセットテープ、ビデオテープ等の磁気テープを収納した磁気テープカセット、フラッシュメモリ等の半導体メモリカード、光磁気ディスク、光カード、ＩＣカード、磁気カード等を装填する装填部を備えていてもよい。なお、本実施の形態においては、記憶媒体装填部がＣＤ装填部１３、ＭＤ装填部１４及びＤＶＤ装填部１５である例について説明する。
【００３３】
なお、前記記憶媒体としてのＣＤ、ＭＤ及びＤＶＤに格納されるデータは、例えば、音楽、写真等の静止画、映画等の動画、地図データ、道路データ等であるが、いかなる種類のデータであってもよいし、アナログデータであってもデジタルデータであってもよい。
【００３４】
そして、表示装置２１を開いた状態では、前記ディスプレー２２、操作ボタン２３、２４及び２６、並びに、操作ダイアル２５が図において上向きとなる。これにより、表示装置２１を開いた状態でも、操作者は、ディスプレー２２の表示を確認することができ、また、操作ボタン２３、２４及び２６、並びに、操作ダイアル２５を操作することができる。
【００３５】
続いて、操作ボタンについて詳細に説明する。
【００３６】
図１は本発明の実施の形態における前面板の正面図であり表示装置が開いた状態を示す図、図６は本発明の実施の形態における前面板の正面図であり表示装置が閉じた状態を示す図、図７は本発明の実施の形態におけるディスプレーの表示画面の例を示す図である。
【００３７】
図１に示されるように、内面板１２には、上から順にＣＤ装填部１３、ＭＤ装填部１４及びＤＶＤ装填部１５が配設される。なお、この順は、適宜変更することができる。また、前記ＣＤ装填部１３、ＭＤ装填部１４及びＤＶＤ装填部１５は互いに平行に、それぞれ、横方向に延在するように配設されているが、例えば、縦方向に延在するように配設されていてもよく、いかなる形態で配設されていてもよい。なお、「従来の技術」において説明した従来の車載用複合電子機器が有するＣＤイジェクトボタン、ＭＤイジェクトボタン及びＤＶＤイジェクトボタンは、本実施の形態における内面板１２には配設されない。
【００３８】
また、表示装置２１におけるディスプレー２２の右側及び左側には、図６に示されるように、各種の機能が割り当てられた押しボタン式の操作ボタン２３−１〜２３−６及び２４−１〜２４−６が、それぞれ、配設される。そして、回転式の操作ダイアル２５−１及び２５−２も配設される。さらに、前記ディスプレー２２の下側には、他の種類の機能が随時割り当てられる押しボタン式の多機能操作ボタン２６−１〜２６−８が配設される。
【００３９】
なお、本実施の形態において、操作ボタンは、前記操作ボタン２３−１〜２３−６及び２４−１〜２４−６、並びに、多機能操作ボタン２６−１〜２６−８を含むものである。さらに、前記操作ボタンは、押しボタン式のものなくてもよく、例えば、前記ディスプレー２２がタッチパネルである場合には、タッチパネル上の操作キーであってもよい。
【００４０】
前記操作ボタン２３−１〜２３−６及び２４−１〜２４−６のそれぞれに割り当てられた機能は、図６に示されるように、該操作ボタン２３−１〜２３−６及び２４−１〜２４−６の上面に表示される。なお、１つの操作ボタンに割り当てられる機能は単数であっても複数であってもよいが、複数の場合でも２〜３程度である。
【００４１】
これに対し、多機能操作ボタン２６−１〜２６−８のそれぞれに割り当てられた機能は複数であって、しかも、操作ボタン２３−１〜２３−６及び２４−１〜２４−６のそれぞれに割り当てられる機能の数よりも多くなっている。また、前記多機能操作ボタン２６−１〜２６−８のそれぞれに割り当てられた機能は、図６に示されるように、ディスプレー２２上に機能表示２７−１〜２７−８として表示される。なお、該機能表示２７−１〜２７−８のそれぞれは多機能操作ボタン２６−１〜２６−８のそれぞれに対応する。
【００４２】
そして、該多機能操作ボタン２６−１〜２６−８のそれぞれに割り当てられる機能は、車載用複合電子機器１０が、ナビゲーション装置、ラジオ受信機、テレビ受像器、音響機器及び映像機器として機能する場合に応じて、変化するようになっている。
【００４３】
例えば、車載用複合電子機器１０がテレビ受像器として機能している場合と、音響機器として機能している場合とでは、多機能操作ボタン２６−１〜２６−８のそれぞれに割り当てられる機能が異なるようにする。
【００４４】
まず、テレビ受像器の場合、例えば、多機能操作ボタン２６−１には地上波ＶＨＦ選択機能を、多機能操作ボタン２６−２には地上波ＵＨＦ選択機能を、多機能操作ボタン２６−３には衛星ＢＳ放送選択機能を割り当てるようにする。この場合、機能表示２７−１には「ＶＨＦ」と表示され、機能表示２７−２には「ＵＨＦ」と表示され、機能表示２７−３には「ＢＳ」と表示される。
【００４５】
一方、音響機器として機能している場合、例えば、多機能操作ボタン２６−１には音楽ＣＤのトラック選択機能を、多機能操作ボタン２６−２にはノイズ低減回路設定機能を、多機能操作ボタン２６−３には繰返演奏機能を割り当てるようにする。この場合、機能表示２７−１には「トラック」と表示され、機能表示２７−２には「ノイズ低減」と表示され、機能表示２７−３には「リピート」と表示される。
【００４６】
さらに、車載用複合電子機器１０が前記装置又は機器の中の１つのとして機能する場合に、モードによって変化するようにしてもよい。
【００４７】
例えば、車載用複合電子機器１０がナビゲーション装置として機能している場合、目的地までの経路を探索する探索モードの場合と、駐車場等の施設を検索する検索モードの場合とでは、多機能操作ボタン２６−１〜２６−８のそれぞれに割り当てられる機能が異なるようにする。
【００４８】
まず、探索モードの場合、例えば、多機能操作ボタン２６−１には目的地設定機能を、多機能操作ボタン２６−２には時間優先設定機能を、多機能操作ボタン２６−３には高速道路優先設定機能を割り当てるようにする。この場合、機能表示２７−１には「目的地」と表示され、機能表示２７−２には「時間」と表示され、機能表示２７−３には「高速」と表示される。
【００４９】
一方、検索モードの場合、例えば、多機能操作ボタン２６−１には施設の種類設定機能を、多機能操作ボタン２６−２には施設の所在地範囲設定機能を、多機能操作ボタン２６−３には現在地からの距離設定機能を割り当てるようにする。この場合、機能表示２７−１には「種類」と表示され、機能表示２７−２には「所在地」と表示され、機能表示２７−３には「距離」と表示される。
【００５０】
なお、前記機能表示２７−１〜２７−８は必要な時だけ表示され、不要な時に表示されないようにすることが望ましい。また、操作者が前記機能表示２７−１〜２７−８を表示させるか否かを選択することができるようにしてもよい。
【００５１】
そして、本実施の形態においては、前記操作ボタン２３−１〜２３−６及び２４−１〜２４−６並びに多機能操作ボタン２６−１〜２６−８の中のいずれかが、ＣＤイジェクトボタン、ＭＤイジェクトボタン又はＤＶＤイジェクトボタンとして機能するように割り当てられる。この場合、３つの操作ボタン又は多機能操作ボタンをそれぞれＣＤイジェクトボタン、ＭＤイジェクトボタン及びＤＶＤイジェクトボタンとして機能するように割り当ててもよいし、１つの操作ボタン又は多機能操作ボタンをＣＤイジェクトボタン、ＭＤイジェクトボタン及びＤＶＤイジェクトボタンとして機能するように割り当ててもよい。
【００５２】
ここでは、操作ボタン２３−２を表示装置２１の開閉用ボタン、多機能操作ボタン２６−１〜２６−３がＣＤイジェクトボタン、ＭＤイジェクトボタン及びＤＶＤイジェクトボタンとして機能するように割り当てた例について説明する。
【００５３】
この場合、前記操作ボタン２３−２を操作すると、ナビゲーション装置、音響機器等としての機能が停止して、表示装置２１は閉じた状態（図４）から開いた状態（図５）へと駆動されるようになっている。そして、前記表示装置２１が開いた状態になると、ディスプレー２２には、図７に示されるような画面が表示される。該画面においては、ＣＤ装填部１３、ＭＤ装填部１４及びＤＶＤ装填部１５の中の記憶媒体が装填されている装填部に対応する箇所が、色、トーン等を変更して表示されるようになっている。また、ＣＤ装填部１３にＣＤが装填されており、ＭＤ装填部１４及びＤＶＤ装填部１５には、ＭＤもＤＶＤも装填されていない状態が表示されている。
【００５４】
また、機能表示２７−１〜２７−３には、それぞれ、「ＣＤ」、「ＭＤ」及び「ＤＶＤ」と表示され、多機能操作ボタン２６−１〜２６−３が、それぞれ、ＣＤイジェクトボタン、ＭＤイジェクトボタン及びＤＶＤイジェクトボタンとして機能するように割り当てられていることが示される。この場合、他の機能表示２７−４〜２７−８は、表示する必要がないので、省略される。そして、多機能操作ボタン２６−１を操作すると、装填されているＣＤが押し出される、すなわち、イジェクトされるようになっている。
【００５５】
次に、前記構成の車載用複合電子機器１０の動作について説明する。
【００５６】
図８は本発明の実施の形態におけるＣＤをＣＤ装填部から取り出すためのイジェクト処理の動作を示す第１のフローチャート、図９は本発明の実施の形態におけるＣＤをＣＤ装填部から取り出すためのイジェクト処理の動作を示す第２のフローチャート、図１０は本発明の実施の形態におけるＣＤをＣＤ装填部から取り出すためのイジェクト処理の動作を示す第３のフローチャートである。
【００５７】
まず、操作者は、表示装置２１を開くための操作ボタン、例えば、操作ボタン２３−２を操作する。すると、車載用複合電子機器１０の制御手段は、表示装置駆動手段を作動させ、前記表示装置２１が、図４に示されるような閉じた状態から、図５に示されるような開いた状態へと駆動される。なお、前記車載用複合電子機器１０がナビゲーション装置として機能している場合について説明する。
【００５８】
ここで、ディスプレー２２には、図７に示されるような画面が表示され、機能表示２７−１〜２７−３には、それぞれ、「ＣＤ」、「ＭＤ」及び「ＤＶＤ」と表示され、多機能操作ボタン２６−１〜２６−３が、それぞれ、ＣＤイジェクトボタン、ＭＤイジェクトボタン及びＤＶＤイジェクトボタンとして機能するように割り当てられていることが示される。
【００５９】
次に、操作者が、例えば、多機能操作ボタン２６−１を操作すると、前記制御手段は、角度検出手段が検出した前記表示装置２１の角度が所定の角度以下であるか否かを判断する。
【００６０】
そして、前記所定の角度以下である場合には、前記制御手段は、前記表示装置２１が十分に開いた状態にあると判断して、前記多機能操作ボタン２６−１をＣＤイジェクトボタンとして機能させる。そのため、ＣＤ装填部１３からＣＤがイジェクトされる。そのため、操作者は該ＣＤを取り出すことができる。そして、必要であれば、操作者は他のＣＤをＣＤ装填部１３に装填する。
【００６１】
一方、前記所定の角度以下でない場合には、ＣＤ装填部１３からＣＤをイジェクトさせることが不可能であると判断して、前記多機能操作ボタン２６−１をＣＤイジェクトボタンとして機能させず、ナビゲーション装置の、例えば、音声案内開始・停止ボタンとして機能させる。そのため、ナビゲーション装置の音声案内が開始又は停止させられる。
【００６２】
なお、前記角度検出手段は、操作ボタン２３−２が操作されると、前記表示装置２１の角度の検出を開始し、その後、一定周期で前記表示装置２１の角度を検出する。そして、一定周期で検出する際に、前回周期で検出した検出値と同じ検出値を検出した時には、前記表示装置２１の動作が停止したとして、検出を終了する。
【００６３】
また、前記検出値は、常に最新の検出値だけが図示されないＲＡＭに格納される。これにより、前記検出手段は、操作ボタン２３−２が操作された時だけ前記表示装置２１の角度を検出し、不要な時には検出動作を行う必要がない。さらに、前記多機能操作ボタン２６−１がナビゲーション装置の音声案内開始・停止ボタン等として機能する時も検出動作を行う必要がない。
【００６４】
ここで、前記表示装置２１の角度は、図４に示されるような閉じた状態が９０度、図５に示されるような開いた状態が０度であるように定められているが、閉じた状態を０度、開いた状態を９０度として定めることもできる。
【００６５】
次に、第１のフローチャートについて説明する。
ステップＳ１  操作者が多機能操作ボタン２６−１を操作する。
ステップＳ２  制御手段は、表示装置２１の角度が所定の角度以下であるか否かを判断する。所定の角度以下である場合は、ステップＳ３に進み、所定の角度以下でない場合は、ステップＳ４に進む。
ステップＳ３  ＣＤがＣＤ装填部１３からイジェクトされる。
ステップＳ４  ナビゲーション装置の音声案内が開始又は停止される。
【００６６】
次に、表示装置２１が、図４に示されるような閉じた状態から、図５に示されるような開いた状態へと駆動されている間に、多機能操作ボタン２６−１が操作された場合について説明する。
【００６７】
この場合、多機能操作ボタン２６−１が操作されると、制御手段は、表示装置駆動手段が作動中であるか否か、すなわち、表示装置２１が開動作中であるか否かを判断する。ここで、開動作中である場合、ＣＤをＣＤ装填部１３からイジェクトするために前記多機能操作ボタン２６−１が操作されたことが、フラグを立てて記憶手段に格納される。
【００６８】
そして、前記表示装置駆動手段の作動が終了して、すなわち、表示装置２１の開動作が終了して、図５に示されるような開いた状態になった時に、制御手段は、多機能操作ボタン２６−１が操作されたことが記憶手段に格納されているか否か、すなわち、フラグが立てられているか否かを判断する。
【００６９】
ここで、フラグが立てられている場合、ＣＤ装填部１３からＣＤがイジェクトされるので、操作者は該ＣＤを取り出すことができる。そして、必要であれば、操作者は他のＣＤをＣＤ装填部１３に装填する。なお、フラグが立てられていない場合、制御手段はＣＤをＣＤ装填部１３から取り出すためのイジェクト処理を終了する。
【００７０】
一方、表示装置２１が開動作中でない場合、制御手段は、表示装置２１が開いた状態となっているか否か、すなわち、開動作が終了したか否かを判断する。そして、開動作が終了した場合、ＣＤ装填部１３からＣＤがイジェクトされる。
【００７１】
また、開動作が終了していない場合、制御手段は、前記多機能操作ボタン２６−１に割り当てられたもう１つの機能であるナビゲーション装置の音声案内開始・停止機能を要求されたものと判断して、音声案内を開始又は停止させる。
【００７２】
次に、第２のフローチャートについて説明する。
ステップＳ５  操作者が多機能操作ボタン２６−１を操作する。
ステップＳ６  制御手段は、表示装置２１が開動作中であるか否かを判断する。開動作中である場合はステップＳ７に進み、開動作中でない場合はステップＳ８に進む。
ステップＳ７  多機能操作ボタン２６−１が操作されたことをフラグを立てて記憶手段に格納する。
ステップＳ８  制御手段は、表示装置２１の開動作が終了したか否かを判断する。終了した場合はステップＳ９に進み、終了していない場合はステップＳ１０に進む。
ステップＳ９  ＣＤがＣＤ装填部１３からイジェクトされる。
ステップＳ１０  ナビゲーション装置の音声案内が開始又は停止される。
【００７３】
次に、第３のフローチャートについて説明する。
ステップＳ１１  表示装置２１の開動作が終了する。
ステップＳ１２  制御手段は、フラグが立てられているか否かを判断する。立てられている場合はステップＳ１３に進み、立てられていない場合はＣＤをＣＤ装填部１３から取り出すイジェクト処理を終了する。
ステップＳ１３  ＣＤがＣＤ装填部からイジェクトされる。
【００７４】
ここでは、ＣＤをＣＤ装填部１３から取り出すためのイジェクト処理について説明したが、ＭＤ又はＤＶＤをＭＤ装填部１４及びＤＶＤ装填部１５から取り出すためのイジェクト処理の場合も同様である。さらに、ＣＤイジェクトボタン、ＭＤイジェクトボタン及びＤＶＤイジェクトボタンとして機能するように割り当てられる操作ボタンは他のものであってもよく、該操作ボタンに割り当てられる他の機能もナビゲーション装置の音声案内開始・停止機能以外の機能であってもよい。
【００７５】
このように、本実施の形態においては、他の機能が割り当てられた操作ボタンにイジェクトボタンとしての機能も割り当てることによって、ＣＤ、ＭＤ及びＤＶＤのイジェクト処理を行うようにしたので、車載用複合電子機器１０は、操作者が操作すべき操作ボタンの数が少なく、操作が煩雑でなく、操作性が高い。
【００７６】
また、内面板１２にイジェクトボタンを配設する必要がないので、前記内面板１２の面積が狭くても、ＣＤ装填部１３、ＭＤ装填部１４及びＤＶＤ装填部１５を適切な形態で配設することができる。
【００７７】
さらに、操作ボタンの数が少ないので、車載用複合電子機器１０を製造するためのコストを低くすることができる。
【００７８】
なお、本発明は前記実施の形態に限定されるものではなく、本発明の趣旨に基づいて種々変形させることが可能であり、それらを本発明の範囲から排除するものではない。
【００７９】
【発明の効果】
以上詳細に説明したように、本発明によれば、車載用複合電子機器においては、記憶媒体装填部が配設された内面板と、閉じた状態で該内面板を覆い、開いた状態で前記記憶媒体装填部への記憶媒体の装填が可能となるように開閉可能に取り付けられた表示装置と、該表示装置に配設され、前記記憶媒体をイジェクトさせる機能と他の機能とを兼ね備える操作ボタンとを有し、該操作ボタンは、前記表示装置が開いた状態で操作されると記憶媒体をイジェクトさせる機能を果たし、前記表示装置が閉じた状態で操作されると他の機能を果たし、前記表示装置が開動作中に操作されると、前記表示装置が開いた時に記憶媒体をイジェクトさせる機能を果たす。
【００８０】
この場合、車載用複合電子機器は、操作ボタンの数が少なく、操作性が高い。
【００８１】
また、内面板にイジェクトボタンを配設する必要がないので、前記内面板の面積が狭くても、記憶媒体装填部を適切な形態で配設することができる。
【００８２】
そして、操作ボタンの数が少ないので、車載用複合電子機器を製造するためのコストを低くすることができる。
【００８３】
本発明によれば、他の車載用複合電子機器においては、さらに、前記操作ボタンは、前記表示装置が開いた状態で操作されると記憶媒体をイジェクトさせる機能を果たし、前記表示装置が閉じた状態で操作されると他の機能を果たす。
【００８４】
この場合、表示装置が開いた状態でないと記憶媒体がイジェクトされないので、イジェクトボタンを配設した場合のように表示装置が閉じた状態であっても記憶媒体がイジェクトされてしまうという恐れがない。
【図面の簡単な説明】
【図１】  本発明の実施の形態における前面板の正面図であり表示装置が開いた状態を示す図である。
【図２】従来の車載用複合電子機器の前面板であり表示装置が閉じた状態を示す図である。
【図３】従来の車載用複合電子機器の前面板であり表示装置が開いた状態を示す図である。
【図４】本発明の実施の形態における車載用複合電子機器の斜視図であり表示装置が閉じた状態を示す図である。
【図５】本発明の実施の形態における車載用複合電子機器の斜視図であり表示装置が開いた状態を示す図である。
【図６】本発明の実施の形態における前面板の正面図であり表示装置が閉じた状態を示す図である。
【図７】本発明の実施の形態におけるディスプレーの表示画面の例を示す図である。
【図８】本発明の実施の形態におけるＣＤをＣＤ装填部から取り出すためのイジェクト処理の動作を示す第１のフローチャートである。
【図９】本発明の実施の形態におけるＣＤをＣＤ装填部から取り出すためのイジェクト処理の動作を示す第２のフローチャートである。
【図１０】本発明の実施の形態におけるＣＤをＣＤ装填部から取り出すためのイジェクト処理の動作を示す第３のフローチャートである。
【符号の説明】
１０    車載用複合電子機器
１２    内面板
１３    ＣＤ装填部
１４    ＭＤ装填部
１５    ＤＶＤ装填部
２１    表示装置
２３、２４、２６    操作ボタン
【図１】
0004085596.tif 000002
【図２】
0004085596.tif 000003
【図３】
0004085596.tif 000004
【図４】
0004085596.tif 000005
【図５】
0004085596.tif 000006
【図６】
0004085596.tif 000007
【図７】
0004085596.tif 000008
【図８】
0004085596.tif 000009
【図９】
0004085596.tif 000010
【図１０】
0004085596.tif 000011